(57)【要約】【課題】  伝送ＴＳパケットの最後端にある同期バイトを移動させることなく、伝送ＴＳパケットの復号化を適切に行なうことを可能にすることで、製造にかかるコストや回路全体の消費電力の低減を実現する。【解決手段】  多重化されたトランスポートストリームパケットを復号するリードソロモン復号器２４を備える。上記トランスポートストリームパケットの先頭バイトの値あるいは先頭バイトから任意のバイトまでに含まれている値に基づいて、該トランスポートパケットが上記リードソロモン復号器２４に入力される前に該リードソロモン復号器２４を初期化状態に設定する初期化装置２５を備えたことを特徴としているデジタル放送受信装置。【選択図】  図１
2005159572.tif 000002
【特許請求の範囲】
【請求項１】
符号化されたパケットを復号する復号器と、
上記パケットが上記復号器に入力される前に、該パケットの先頭バイトの値あるいは先頭バイトから任意のバイトまでに含まれている値に基づいて該復号器を初期化状態に設定する初期化状態設定手段とを備えていることを特徴とする復号回路。
【請求項２】
上記初期化状態設定手段は、上記復号器内の全てのレジスタの値を０にすることを特徴とする請求項１に記載の復号回路。
【請求項３】
上記初期化状態設定手段は、上記復号器内の全てのレジスタの値を予め決められた値に設定することを特徴とする請求項１に記載の復号回路。
【請求項４】
多重化されたトランスポートストリームパケットを復号するリードソロモン復号器と、
上記トランスポートストリームパケットの先頭バイトの値あるいは先頭バイトから任意のバイトまでに含まれている値に基づいて、該トランスポートパケットが上記リードソロモン復号器に入力される前に該リードソロモン復号器を初期化状態に設定する初期化状態設定手段とを備えていることを特徴とする復号回路。
【請求項５】
多重化されたトランスポートストリームパケットを復号するリードソロモン復号器を備えたデジタル放送受信装置において、
上記トランスポートストリームパケットの先頭バイトの値あるいは先頭バイトから任意のバイトまでに含まれている値に基づいて、該トランスポートパケットが上記リードソロモン復号器に入力される前に該リードソロモン復号器を初期化状態に設定する初期化状態設定手段を備えたことを特徴としているデジタル放送受信装置。
【発明の詳細な説明】
【技術分野】
【０００１】
本発明は、デジタル放送受信装置に関し、特に、変調方式として、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式を採用するデジタル放送の受信装置に関するものである。
【背景技術】
【０００２】
通常、デジタル放送では、データの伝送方式としてパケット多重方式が採用されている。例えば、パケット多重方式の多重ストリームとして、トランスポートストリームが開示されている（非特許文献１）。
【０００３】
トランスポートストリーム（ＴＳ）では、図６（ａ）に示すＴＳパケットを、図６（ｂ）に示すように、リードソロモン符号（ＲＳ符号）によって誤り保護し、さらに、デジタル変調した後、電波あるいはケーブルにより伝送するようになっている。
【０００４】
通常、伝送時のＴＳパケットは、デジタル変調時に階層分割される。例えば、デジタル変調方式として、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式を用いた場合、図７に示すように、ＯＦＤＭの１フレーム内のデータは、同期バイトＳ、情報Ｉ、パリティＰを一組とした伝送ＴＳパケットに分割される。この階層分割時には、同期バイトが後方に移動されるので、受信側では、受信した伝送ＴＳパケットを合成する際に、各伝送ＴＳパケットの最後端にある同期バイトを先頭に移動させる処理を行なう必要がある。
【０００５】
このような伝送ＴＳパケットの合成処理については、一般的に、ＴＳ再生回路において行われている。例えば図１０、図１１に示すＴＳ再生回路が使用される。
【０００６】
図１０は、ＯＦＤＭ変調方式のデジタル放送受信装置の一部分を表わす概略ブロック図であり、ＴＳパケット階層合成部を示すものである。
【０００７】
図１０に示すデジタル放送受信装置では、先ず、エネルギー拡散された入力パケット（伝送ＴＳＰ）は、エネルギー逆拡散ブロック１１１によって復号され、ＴＳ再生ブロック１１２に送られる。ＴＳ再生ブロック１１２では、パケットの最後端にある同期バイトを先頭に移動してパケットを再生し、変更後のパケットをリードソロモン復号ブロック１１３に送るようになっている。ここで述べるパケットは、図８に示す１ワード８ビットで２０４ワード（２０４バイト）構成となっている。
【０００８】
このＴＳ再生ブロック１１２では、図８に示されるフォーマットで、且つ図９に示すタイミングでエネルギー逆拡散ブロック１１１より送られてくるＴＳパケットを、パケット最後尾にある同期バイトを先頭に移動し、図１２に示すようなＭＰＥＧ２のＴＳフォーマットと同一のパケット構成に変更したうえで、次段のリードソロモン復号ブロック１１３に送る。このリードソロモン復号ブロック１１３では、入力されるパケットデータのエラー訂正などを行い、図１２に示すフォーマットのパケットデータとして、図１５に示すタイミングで次段に送る。
【０００９】
また、図１１は、ＴＳパケット有効フラグを受け取ることができないため入力に連続したＴＳパケットを要求する機器が後段につながっている場合のＯＦＤＭ変調方式のデジタル放送受信装置の一部分を表わす概略ブロック図である。なお、図１０に示すブロック図と同一符号の部材には同一の符号を付記し、その説明は省略する。
【００１０】
図１１に示すデジタル放送受信装置において、ＴＳ再生回路１１２は、リードソロモン復号ブロック１１３の出力が１パケット分揃わないうちは、ヌルパケット生成回路１１４にてヌルパケットを自動的に作成し、図１２に示すフォーマットのパケットデータとして、図１６に示すタイミングで次段に送るような構成となっている。
【００１１】
ところで、上述のように、リードソロモン復号ブロック１１３にて、階層分割された伝送ＴＳパケットを合成するには、伝送ＴＳパケットの最後端にある同期バイトを先頭に移動させる必要がある。これは、先頭の同期バイトの入力によりリードソロモン復号ブロック１１３を初期化するためである。
【００１２】
この同期バイトの移動動作を行なうのが、ＴＳ再生ブロック１１２であり、例えば、図１３（ａ）に示す回路によって実現される。すなわち、ＴＳ再生ブロック１１２に入力された伝送ＴＳパケットは、同期バイト以外の部分が記録装置１２１に記憶され、同期バイトが同期バイト検出ブロック１２２にて検出されたとき、スイッチング素子１２３が同期バイトのみを出力するように切り替わり、その後、記録装置１２１に記憶された同期バイト以外の部分が出力される。
【００１３】
このように処理されたＴＳパケットは、図１３（ｂ）に示すように、先頭の同期バイト以外の部分（パケットデータとパリティ）が、同期バイトのうしろにそのまま移動した状態となっている。
【００１４】
具体的には、ＴＳ再生ブロックに到着するパケットの最終端、すなわち２０４バイト目に付いている同期バイトを先頭に移動するためには、図１３（ａ）に示すように２０３バイト分の記憶装置１２１を用意し、最終の同期バイトが出力された後に記憶装置１２１に格納していた２０３バイトのデータを送信する方法である。
【００１５】
また、伝送ＴＳパケットの同期バイトを移動させる方法として、上記以外に、例えば図１４に示すように、直前のＴＳパケットの最後端にある同期バイトを、次のＴＳパケットの先頭に移動させる方法がある。
【００１６】
具体的には、図１４に示すような直前のパケットの最終バイトを次パケットの先頭に移動する方法である。
【非特許文献１】社団法人日本電波産業界の標準規格ARIB- STD-B24  「デジタル放送におけるデータ放送符号化方式と伝送方式」３．０版  (出版  ２００２年１月)
【発明の開示】
【発明が解決しようとする課題】
【００１７】
しかしながら、伝送ＴＳパケットの最後端にある同期バイトを移動させる従来の何れの方法であっても、同期バイトの移動に使用されるシフトレジスタやメモリ等の大規模な記憶装置が必要であり、コストや消費電力が大きくなるという問題が生じる。
【００１８】
本発明は、上記の問題点に鑑みなされたものであって、その目的は、伝送ＴＳパケットの最後端にある同期バイトを移動させることなく、伝送ＴＳパケットの復号化を適切に行なうことを可能にすることで、記憶装置の回路の小型化、及び回路全体の小型化が図れ、結果として、製造にかかるコストや回路全体の消費電力の低減を可能にする復号回路及びデジタル放送受信装置を提供することにある。
【課題を解決するための手段】
【００１９】
本発明に係る復号器は、上記課題を解決するために、符号化されたパケットを復号する復号器と、上記パケットが上記復号器に入力される前に、該パケットの先頭バイトの値あるいは先頭バイトから任意のバイトまでに含まれている値に基づいて該復号器を初期化状態に設定する初期化状態設定手段とを備えていることを特徴としている。
【００２０】
また、上記初期化状態設定手段は、上記復号器内の全てのレジスタの値を０に設定するようにしてもよい。
【００２１】
また、上記初期化状態設定手段は、上記復号器内の全てのレジスタの値を予め決められた値に設定するようにしてもよい。
【００２２】
本発明に係る復号器は、上記課題を解決するために、多重化されたトランスポートストリームパケットを復号するリードソロモン復号器と、上記トランスポートストリームパケットの先頭バイトの値あるいは先頭バイトから任意のバイトまでに含まれている値に基づいて、該トランスポートパケットが上記リードソロモン復号器に入力される前に該リードソロモン復号器を初期化状態に設定する初期化状態設定手段とを備えていることを特徴としている。
【００２３】
本発明に係るデジタル放送受信装置は、上記課題を解決するために、多重化されたトランスポートストリームパケットを復号するリードソロモン復号器を備えたデジタル放送受信装置において、上記トランスポートストリームパケットの先頭バイトの値あるいは先頭バイトから任意のバイトまでに含まれている値に基づいて、該トランスポートパケットが上記リードソロモン復号器に入力される前に該リードソロモン復号器を初期化状態に設定する初期化状態設定手段を備えたことを特徴としている。
【発明の効果】
【００２４】
本発明に係る復号回路は、以上のように、パケットが復号器に入力される前に、該パケットの先頭バイトの値あるいは先頭バイトから任意のバイトまでに含まれている値に基づいて該復号器を初期化状態に設定する初期化状態設定手段を備えていることで、復号器の初期化を行なうための初期化信号を別途作成する必要がない。これにより、初期化信号作成のための回路の削減と、この回路に伴う消費電力の削減とを図ることができるので、復号器を含む回路の規模の縮小化及び省電力化を図ることができる。
【００２５】
また、復号器が初期化されるのは、パケットの入力前であるので、従来のように、パケットが復号器に入力されると同時に初期化する必要のある場合のように、パケットの先頭に同期バイトを付加する必要がなくなる。従って、同期バイトをパケットの先頭に付加するための処理回路を必要としないので、復号器を含む回路の規模の縮小化を図ることができ、この結果、製造に係るコストの削減を図ることができるという効果を奏する。
【００２６】
上記のパケットの先頭バイトの値あるいは先頭バイトから任意のバイトまでに含まれている値は、同一復号器で復号される全てのパケットにおいて一定の値であればよい。
【００２７】
ここで、復号器の初期状態とは、復号器内部のレジスタ（記憶部）の値が０または予め定めた値に設定された状態をいう。
【００２８】
上記復号回路をデジタル放送受信装置に使用する場合、例えば、上記パケットとして、トランスポートストリームパケットを使用し、上記復号器として、リードソロモン復号器を使用することが考えられる。
【００２９】
すなわち、本発明に係る復号回路は、トランスポートストリームパケットの先頭バイトの値あるいは先頭バイトから任意のバイトまでに含まれている値に基づいて、該トランスポートパケットがリードソロモン復号器に入力される前に該リードソロモン復号器を初期化状態に設定する初期化状態設定手段とを備えていることで、回路の縮小化と消費電力の低減を図ることができるという効果を奏する。
【００３０】
また、本発明に係るデジタル放送受信装置は、トランスポートストリームパケットの先頭バイトの値あるいは先頭バイトから任意のバイトまでに含まれている値に基づいて、該トランスポートパケットが上記リードソロモン復号器に入力される前に該リードソロモン復号器を初期化状態に設定する初期化状態設定手段を備えていることで、装置の小型化と電力消費の低減を図ることができるという効果を奏する。
【発明を実施するための最良の形態】
【００３１】
本発明の実施の形態について説明すれば、以下の通りである。
【００３２】
本実施の形態に係るデジタル放送受信装置は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式を採用し、且つ、データの伝送方式としてパケット多重方式の多重ストリームとして、トランスポートストリームを採用したデジタル放送受信装置であり、図２に示すように、ＯＦＤＭ復調部１と、ベースバンド処理部２とを備えている。なお、ベースバンド処理部２は、一般的なデジタル放送受信装置に備えられたベースバンド処理回路と同じであるので、詳細な説明は省略する。
【００３３】
まず、上記ＯＦＤＭ復調部１に入力されるトランスポートストリームパケット（以下、ＴＳパケットと称する）について説明した後、ＯＦＤＭ復調部１の詳細について説明する。
【００３４】
上記ＴＳパケットは、従来技術の欄で説明したように、図７に示すＯＦＤＭの１フレーム分のトランスポートストリームを階層分割したものであり、図８に示すパケット構造となっている。
【００３５】
すなわち、ＴＳパケットは、図８に示すように、先頭に１８７バイトの有効パケットが配置され、次に１６バイトのパリティが配置され、最後尾に１バイトの同期バイトが配置されたパケット構造となっている。
【００３６】
通常、リードソロモン復号回路において復号される際のＴＳパケットは、図６（ｂ）に示すように先頭に、同期バイトが配置され、次にデータ部（有効パケット）が配置され、最後尾にパリティ部が配置されたパケット構造となっている。
【００３７】
ところで、図６（ｂ）に示すＴＳパケットのパケット構造にするには、図８に示すパケット構造から同期バイトを移動させなければならない。
【００３８】
しかしながら、本実施の形態では、ＯＦＤＭ復調部１に含まれているリードソロモン復号部（復号回路）１９において、図８に示すパケット構造のＴＳパケットをそのまま入力し、復号化が行われるようになっている。
【００３９】
次に、ＯＦＤＭ復調部１について以下に説明する。
【００４０】
上記ＯＦＤＭ復調部１は、図２に示すように、ＱＰＳＫ部１１、１６ＱＡＭ部１２、周波数・時間デインターリーブ１３、ビットデインターリーブ部１４、デパンクチュアード部１５、ビタビ復号部１６、バイトデインターリーブ部１７、エネルギー逆拡散部１８、リードソロモン復号部１９を備えた構成となっている。
【００４１】
なお、上記ＱＰＳＫ部１１、１６ＱＡＭ部１２、周波数・時間デインターリーブ１３、ビットデインターリーブ部１４、デパンクチュアード部１５、ビタビ復号部１６、バイトデインターリーブ部１７、エネルギー逆拡散部１８までは、一般的なＯＦＤＭ復調回路と同じであるので、各部の説明は省略する。
【００４２】
上記ＯＦＤＭ復調部１の各部のうち、一般的なＯＦＤＭ復調回路と異なるのは、エネルギー逆拡散部１８から出力される信号（ＴＳパケット）に対してリードソロモン復号を行なうリードソロモン復号部１９の構成である。
【００４３】
上記リードソロモン復号部１９は、図１に示すように、リードソロモン復号器２４と、該リードソロモン復号器２４の内部レジスタを初期化する初期化装置（初期化状態設定手段）２５とを備えている。
【００４４】
上記リードソロモン復号器２４は、図３に示すように、シンドローム計算部２０、誤り数計算部２１、誤り位置計算部２２、誤り訂正計算部２３を有している。
【００４５】
すなわち、リードソロモン復号部１９において、入力データは、先ず、シンドローム計算部２０に入力され、該データの誤りの位置とその値を求めるための情報を求める。この情報に基づいて、誤り数計算部２１及び誤り位置計算部２２は、データの誤りの位置とその値を求める。その後、誤り訂正計算部２３によって、データの誤りが訂正され、出力データとして出力される。これらの各部については、一般的なリードソロモン復号器に用いられるものである。
【００４６】
上記リードソロモン復号器には、上述したシンドローム計算部２０、誤り数計算部２１、誤り位置計算部２２、誤り訂正計算部２３において計算処理を行なう一時記憶領域である内部レジスタが設けられている。
【００４７】
上記初期化装置２５は、入力データであるＴＳパケットがリードソロモン復号器２４に入力される前に、該パケットの先頭バイトの値あるいは先頭から任意のバイトまでに含まれている値に基づいて該リードソロモン復号器２４を初期化状態に設定するようになっている。
【００４８】
すなわち、初期化装置２５は、ＴＳパケットの先頭バイトの値あるいは先頭から任意のバイトまでに含まれている値に基づいて初期化信号を生成し、この初期化信号をリードソロモン復号器２４に送ることで、内部レジスタを初期化するようになっている。
【００４９】
ここで、初期化とは、内部レジスタの値を０にすることである。なお、ここでの初期化とは、内部レジスタの値を０にするだけでなく、予め計算した任意の値にすることも含んでいる。この予め計算した値とは、例えば、地上波デジタル放送の場合は、８ビットで０×４７ｈである。なお、上記の計算は、リードソロモン復号器を回路に実装する前に行なうものであり、初期化動作中に行なうものではない。
【００５０】
また、初期化装置２５は、初期化信号を生成するために、リードソロモン復号器２４に入力される前のＴＳパケットの先頭バイトの値あるいは先頭から任意のバイトまでに含まれている値を使用している。つまり、これらバイトの値は各パケットにおいて一定値を示していれば、同じ初期化信号を常に生成することが可能となり、リードソロモン復号器２４の初期化も常に同じタイミングで行なうことが可能となる。
【００５１】
上記初期化装置２５によるリードソロモン復号部１９の初期化動作について、以下に説明する。
【００５２】
図３に示すように、リードソロモン復号部１９の各ブロックには、それぞれ初期化回路２０ａ〜２３ａが接続されている。これらの初期化回路２０ａ〜２３ａは、初期化装置２５からの初期化信号が入力されるようになっており、この初期化信号に基づいてリードソロモン復号部１９の各ブロックに対して初期値を与える信号を出力するようになっている。
【００５３】
つまり、初期化装置２５は、入力データからリードソロモン復号部１９内の各ブロックの初期化のタイミングを計算し、各ブロックに接続された初期化回路２０ａ〜２３ａに初期化信号を送出する。この初期化信号を受けた各初期化回路２０ａ〜２３ａは、接続先の各ブロックを初期化する。
【００５４】
上記初期化装置２５による初期化信号の送出タイミングは、入力データに含まれている先頭の同期バイトがリードソロモン復号部１９に到着するとき、または、リードソロモン復号部１９における前のパケットデータ処理完了後から次のパケットデータの先頭の同期バイトがリードソロモン復号部１９に到達するまでの間で各ブロックが動作を終えている期間であればよい。
【００５５】
ここで、リードソロモン復号部１９における復号動作について、以下に説明する。
【００５６】
まず、上記エネルギー逆拡散部１８からは、クロックＣＬＫの立ち上がりに同期してＴＳパケットデータ、ＴＳデータ有効フラグ、先頭データフラグの３種類の信号がリードソロモン復号部１９に入力される。
【００５７】
リードソロモン復号部１９は、初期化装置２５によって、ＴＳ先頭フラグを受け取る前に同期データを計算しておきリードソロモン復号器（内部レジスタ）２４を初期化状態に設定する。ＴＳ有効フラグ及びＴＳ先頭フラグが入力されたときから２０３バイトのＴＳパケットデータを受信してリードソロモン復号を行なう。復号の結果はそのままの順で出力される。
【００５８】
上記リードソロモン復号部１９からのデータ出力のタイミングは、図１５に示すタイミングチャートに基づいて行われる。
【００５９】
すなわち、リードソロモン復号部１９において、クロックＣＬＫの立ち上がりでＴＳパケット及び出力有効フラグ、出力先頭フラグが出力される。リードソロモン復号済みのＴＳパケットの先頭データの出力タイミングと同期して出力先頭フラグが出力される。また、出力有効フラグが有効状態のとき出力データが有効である。この出力有効フラグはＯＦＤＭの変調方式などによって変化する。
【００６０】
上記エネルギー逆拡散部１８から送られてくるＴＳパケットのＴＳ先頭バイトのフラグが有効になるタイミングは最終同期データの移動前であるため、実際はＴＳパケットの先頭から２バイト目のデータがリードソロモン復号部１９に送り込まれている。しかしながら、リードソロモン復号部１９が予め１バイト目の同期データを計算済みの状態（初期化状態）でいるため、先頭から２バイト目から２０４バイト目の合計２０３バイトのデータを順次入力することで正しく復号することが可能となっている。
【００６１】
上記の復号方法は、符号化されたパケットを復号器において復号する復号方法において、上記パケットが上記復号器に入力される前に、該パケットの先頭バイトの値あるいは先頭から任意のバイトまでに含まれている値に基づいて該復号器を初期化することである。
【００６２】
なお、図１に示すブロック図は、部分受信といわれる１セグメント受信における実施形態を示す構成であり、エネルギー逆拡散部１８の後に、多セグメント受信用システムにおいて必須である複数階層のＴＳをまとめて１つのＴＳにする回路が省略されている。
【００６３】
つまり、この部分受信専用システムにおいて、ＴＳ再生ブロックではエネルギー逆拡散部１８から出力されるパケットの一番後に来る同期データをパケットの先頭に移動しているだけである。このため、本発明のリードソロモン復号器を当システムに組込んだ場合、ＴＳ再生ブロックを介することなくエネルギー逆拡散ブロックの出力を直接リードソロモン復号器に入力することができる。
【００６４】
従って、図１０に示す従来技術のブロック図と比較して本発明においてはＴＳ再生ブロックを削除することが可能となる。
【００６５】
従って、ＴＳ再生ブロックにおけるデータの記憶・移動が不要になり記憶装置が不要となるので回路の削減が可能でありＬＳＩサイズを小さくすること、すなわちＬＳＩのコストダウンが可能となり、また消費電力の削減が可能となる。
【００６６】
また、１セグメント受信専用回路においては、図１に示す構成に見られるようにリードソロモン復号部１９の前段にあるＴＳ再生ブロックが不要になる。このことで回路規模の縮小が可能であり、消費電力の削減も可能である。
【００６７】
また、図１１に示す従来技術の構成において本発明のリードソロモン復号部１９を使用した場合でも、従来必要であった同期バイト移動機能が不要になることはいうまでもない。
【００６８】
さらに、１セグメント部分受信のみならず多セグメント受信においても本発明を実施することにより記憶装置を削減する効果があることはいうまでもない。
【００６９】
例えば、多セグメント受信を行なうデジタル放送受信装置としては、例えば図４に示すように、図１に示すＯＦＤＭ復調部１のビタビ復号部１６の前段に、階層分割／合成処理部４１を設けたデジタル放送受信装置が考えられる。
【００７０】
上記階層分割／合成処理部４１は、入力データを任意の数の階層に分割する階層分割回路４２と、階層分割されたデータを合成する階層合成回路４５とを備え、この階層分割回路４２と階層合成回路４５との間には、分割された階層数分のデパンクチュアード回路４３ａ〜４３ｘと、階層バッファ４４ａ〜４４ｘが設けられている。
【００７１】
上記階層合成回路４５は、図５に示すように、各階層からのデータを時系列に出力するための切替回路からなっている。これにより、異なる階層のデータ切り替えて一つにまとめて後段のビタビ復号部１６に出力するようになっている。なお、上記切替回路による切替タイミングは、放送規格に則った特定のタイミングであればよい。
【００７２】
図５に示す階層合成回路４５は一例であり、階層分割されたデータを一つにまとめることのできる回路であればよく、特に限定するものではない。
【００７３】
以上のような構成であっても、リードソロモン復号部１９に入力されＴＳパケットは、図８に示すパケット構造となっているので、１セグメント受信専用の回路の場合と同様の効果を得ることができる。
【００７４】
なお、本実施の形態では、ＴＳパケットの先頭バイトに含まれる値で、初期化装置２５による初期化信号の生成をするように説明したが、前述したように、ＴＳパケットの先頭バイトのみならず先頭バイトから任意のバイトまでに含まれる値で、初期化装置２５による初期化信号の生成を行うようにしてもよい。
【００７５】
なお、任意のバイトをパケット全体のバイトに置き換えた場合、リードソロモン復号器自体が不要になる。例えばパケット内部のデータを参照し、特定のパターンであれば予め用意している計算結果を出力するようにすれば、リードソロモン復号器が不要になる。
【００７６】
なお、本実施の形態では、多重化されたパケットとして、パケット長が固定のトランスポートストリームパケットに対して説明したが、本発明は、これに限定されるものではなく、パケットの先頭で復号器を初期か状態にする必要がある場合に有効であり、例えば、他の多重化されたパケットとして、パケット長が可変のプログラムストリームに対しても適用可能である。
【００７７】
また、本実施の形態では、誤り訂正方式として、リードソロモン符号化を適用した場合について説明したが、本発明は、これに限定されるものではなく、先頭に一定値のデータを含むパケットを処理する場合において適応可能である。本発明の適用可能な他の誤り訂正方式としては、例えば巡回冗長符号（ＣＲＣ）などがある。
【００７８】
さらに、本実施の形態では、変調方式として、おもに放送分野で使用されるＯＦＤＭ変調方式に対して説明したが、本発明は、これに限定されるものではなく、他の変調方式においても適用可能である。例えば、光通信、無線・有線通信において使用される変調方式においても適用可能であり、磁気ディスクなどの記憶メディアの再生における変調方式においても適用可能である。
【００７９】
また、本実施の形態では、デジタル放送受信装置として、地上波デジタル放送受信装置を想定して説明したが、本発明は、これに限定されるものではなく、衛星デジタル放送受信装置においても適用可能である。
【産業上の利用可能性】
【００８０】
本発明は、パケット伝送を前提とした衛星デジタル放送受信装置やケーブルテレビの受信装置に適用されるが、これ以外にも、デジタル放送受信装置において適用されているエラー訂正と同じ分野であれば、例えば磁気（フレキシブルディスク、ＨＤＤ、磁気カード）や光（ＣＤ、ＭＤ、ＤＶＤ）を使った記録メディアやネットワーク通信の分野などにも適用できる。
【図面の簡単な説明】
【００８１】
【図１】本発明の実施形態を示すものであり、復号回路の要部構成を示すブロック図である。
【図２】図１に示す復号回路を備えたデジタル放送受信装置を示すブロック図である。
【図３】図１に示す復号回路内のリードソロモン復号器の要部構成を示すブロック図である。
【図４】図２に示すデジタル放送受信装置において、トランスポートストリームを階層分割した場合の階層分割／合成処理部の要部構成を示すブロック図である。
【図５】図４に示す階層分割／合成処理部を構成する階層合成回路の要部構成を示すブロック図である。
【図６】（ａ）は、誤り保護前のＴＳパケットのパケット構造を示す図であり、（ｂ）は、（ａ）に示すＴＳパケットに対して誤り保護を行った状態のパケット構造を示す図である。
【図７】ＯＦＤＭ変調方式におけるトランスポートストリームを階層分割する状態を示す図である。
【図８】図７に示す階層分割直後のＴＳパケットのパケット構造を示す図である。
【図９】図８に示すパケット構造のＴＳパケットをリードソロモン復号器に入力する際の各信号のタイミングを示すタイミングチャートである。
【図１０】従来のＯＦＤＭ受信システムのＴＳ再生部近傍の要部構成を示すブロック図である。
【図１１】従来の他のＯＦＤＭ受信システムのＴＳ再生部近傍の要部構成を示すブロック図である。
【図１２】図１１あるいは図１２に示すＴＳ再生部においてＴＳパケットの同期バイトを先頭に移動させた状態のＴＳパケットのパケット構造を示す図である。
【図１３】（ａ）はＴＳ再生部において同期バイトを先頭に移動させるための回路を示すブロック図であり、（ｂ）は（ａ）の回路によって同期バイトが先頭に移動した状態を示す図である。
【図１４】ＴＳ再生部において、同期バイトを先頭に移動させるための他の方法を示す図である。
【図１５】図１０に示す受信システムにおいて、ＴＳ再生ブロックからリードソロモンブロック復号器へ送られる信号のタイミングチャートである。
【図１６】図１１に示す受信システムにおいて、ＴＳ再生ブロックからリードソロモンブロック復号器へ送られる信号のタイミングチャートである。
【符号の説明】
【００８２】
１  ＯＦＤＭ復調部
２  ベースバンド処理部
１１  ＱＰＳＫ部
１２  １６ＱＡＭ部
１３  周波数・時間デインターリーブ
１４  ビットデインターリーブ部
１５  デパンクチュアード部
１６  ビタビ復号部
１７  バイトデインターリーブ部
１８  エネルギー逆拡散部
１９  リードソロモン復号部（復号回路）
２０  シンドローム計算部
２１  誤り数計算部
２２  誤り位置計算部
２３  誤り訂正計算部
２４  リードソロモン復号器（復号器）
２５  初期化装置（初期化状態設定手段）
【図１】
2005159572.tif 000003
【図２】
2005159572.tif 000004
【図３】
2005159572.tif 000005
【図４】
2005159572.tif 000006
【図５】
2005159572.tif 000007
【図６】
2005159572.tif 000008
【図７】
2005159572.tif 000009
【図８】
2005159572.tif 000010
【図９】
2005159572.tif 000011
【図１０】
2005159572.tif 000012
【図１１】
2005159572.tif 000013
【図１２】
2005159572.tif 000014
【図１３】
2005159572.tif 000015
【図１４】
2005159572.tif 000016
【図１５】
2005159572.tif 000017
【図１６】
2005159572.tif 000018